(57)【要約】【課題】電線及び編組を外装部材に纏めて挿通させることが可能な挿通用治具及び挿通方法を提供する。【解決手段】挿通用治具１１は、電線１２の先端部に装着される電線保持部２１と、電線保持部２１との間で編組１５を保持するガイド部３１と、を備える。電線保持部２１とガイド部３１とがコルゲートチューブ１４に挿し込まれることにより、電線１２及び編組１５がコルゲートチューブ１４に挿通される。【選択図】図１
2015046971.tif 000002
【特許請求の範囲】
【請求項１】
少なくとも１本の電線と該電線の外周を覆う編組とを筒状の外装部材に挿通する際に用いられる挿通用治具であって、
前記電線の先端部に装着される第１部材と、
前記編組が前記第１部材及び前記電線を覆っている状態で前記第１部材の先端部に装着され、前記第１部材との間で前記編組を保持する第２部材と、
を備え、
前記編組を保持した状態で前記第１部材と前記第２部材とが前記外装部材に挿し込まれることにより、前記電線及び前記編組が前記外装部材に挿通される、
ことを特徴とする挿通用治具。
【請求項２】
前記第２部材は、前記第１部材の先端部が挿入される挿入凹部を有し、
前記編組は、前記挿入凹部の内面又は開口縁部と前記第１部材の外面との間で挟持される、
ことを特徴とする請求項１に記載の挿通用治具。
【請求項３】
少なくとも１本の電線と該電線の外周を覆う編組とを筒状の外装部材に挿通させる挿通方法であって、
前記電線の先端部に第１部材を装着し、
前記電線の先端部及び前記第１部材に前記編組を被せ、
前記第１部材の先端部に第２部材を装着することにより、前記第１部材と前記第２部材との間に前記編組を保持させ、
前記編組を保持した状態で前記第１部材と前記第２部材を前記外装部材に挿し込むことにより、前記電線及び前記編組を前記外装部材に挿通する、
ことを特徴とする挿通方法。
【発明の詳細な説明】
【技術分野】
【０００１】
本発明は、電線と編組とを外装部材に挿通するための挿通用治具及び挿通方法に関する。
【背景技術】
【０００２】
従来、コルゲートチューブ（即ち、外装部材。）に電線や電線束を挿通するために、電線や電線束の先端部に装着されてコルゲートチューブ内への挿入を案内する電線挿通具が用いられている（例えば、特許文献１参照。）。
【先行技術文献】
【特許文献】
【０００３】
【特許文献１】特開２０１０−１０４０８２号公報
【発明の概要】
【発明が解決しようとする課題】
【０００４】
図７（ａ）及び図７（ｂ）を参照して、従来の電線挿通具１１１について説明する。図７（ａ）及び図７（ｂ）は、従来の電線挿通具の使用態様を示す図であり、図７（ａ）は上面図、図７（ｂ）は側面図である。電線挿通具１１１は、電線１２１及び電線束１２３を纏めてコルゲートチューブ１３１に挿通するために用いられる。電線１２１は、導体の周囲を外皮で覆ったものであり、単一の導電路を有する。電線束１２３は、２本の電線を並列に配置してこれらの外周を電磁シールド層（例えば、編組や金属箔。）で覆い、その外周を更に絶縁被覆で覆ったシールド線であり、２つの導電路を有する。
【０００５】
電線挿通具１１１は、断面矩形状に形成されており、後端面に電線１２１及び電線束１２３を収容するための電線収容凹部（図示せず。）が凹設されている。挿通作業時には、まず、電線１２１及び電線束１２３の先端部を電線収容凹部に挿し込んで当該先端部に電線挿通具１１１を装着する。次いで、電線挿通具１１１がコルゲートチューブ１３１の開口に接近するように、電線１２１及び電線束１２３を前方へ（即ち、図７中の矢印Ａ方向へ。）移動させる。すると、電線挿通具１１１が、先端側に形成された挿通ガイドテーパ部１１３によってコルゲートチューブ１３１内へ案内されて挿入される。その後、電線１２１及び電線束１２３を更に前方へ移動させていくと、電線１２１及び電線束１２３がコルゲートチューブ１３１に挿通される。
【０００６】
このように、上記の電線挿通具を用いれば、電線１２１や電線束１２３をコルゲートチューブ１３１へ容易に挿通することができる。
【０００７】
これに対して、近年では、電線と、該電線とは別体に形成されて該電線の外周を覆う編組とを外装部材に挿通することが求められている。即ち、上記従来例の電線束１２３のように予め電磁シールド層を内部に設けたシールド線ではなく、複数の（あるいは、１本であっても構わない。）電線の外周を別体に形成された編組で覆って一括にシールドした構成が採用される場合がある。この場合、上記の電線挿通具では、電線と同時に編組をコルゲートチューブへ挿通させることはできない。また、編組は、容易に変形するので、電線をコルゲートチューブへ挿通させた後で手作業によりコルゲートチューブへ挿通させることも困難である。
【０００８】
本発明は、上述した事情に鑑みてなされたものであり、その目的は、電線及び編組を外装部材に纏めて挿通させることが可能な挿通用治具及び挿通方法を提供することにある。
【課題を解決するための手段】
【０００９】
前述した目的を達成するために、本発明に係る挿通用治具及び挿通方法は、下記の点を特徴としている。
（１）  少なくとも１本の電線と該電線の外周を覆う編組とを筒状の外装部材に挿通する際に用いられる挿通用治具であって、
前記電線の先端部に装着される第１部材と、
前記編組が前記第１部材及び前記電線を覆っている状態で前記第１部材の先端部に装着され、前記第１部材との間で前記編組を保持する第２部材と、
を備え、
前記編組を保持した状態で前記第１部材と前記第２部材とが前記外装部材に挿し込まれることにより、前記電線及び前記編組が前記外装部材に挿通されること。
（２）  上記（１）の構成の挿通用治具であって、
前記第２部材は、前記第１部材の先端部が嵌合する挿入凹部を有し、
前記編組は、前記挿入凹部の内面又は開口縁部と前記第１部材の外面との間で挟持されること。
（３）  少なくとも１本の電線と該電線の外周を覆う編組とを筒状の外装部材に挿通させる挿通方法であって、
前記電線の先端部に第１部材を装着し、
前記電線の先端部及び前記第１部材に前記編組を被せ、
前記第１部材の先端部に第２部材を装着することにより、前記第１部材と前記第２部材との間に前記編組を保持させ、
前記編組を保持した状態で前記第１部材と前記第２部材を前記外装部材に挿し込むことにより、前記電線及び前記編組を前記外装部材に挿通すること。
【００１０】
上記（１）の挿通用治具によれば、電線の先端部に装着した第１部材に編組を被せた上で第２部材を装着し、編組を第１部材と第２部材との間に保持させた状態で、これら第１部材及び第２部材をチューブ内に挿し込むことにより、電線及び編組を外装部材に纏めて挿通できる。
上記（２）の挿通用治具によれば、第２部材の挿入凹部に第１部材の先端部を嵌合させることのみにより、挿入凹部の内面又は開口縁部と第１部材の外面との間に編組が挟持されるので、第１部材と第２部材との間に編組を容易に保持させることができる。このため、電線及び編組の外装部材への挿通作業の効率を向上できる。
上記（３）の挿通方法よれば、電線及び編組を外装部材に纏めて挿通できる。
【発明の効果】
【００１１】
本発明によれば、電線及び編組を外装部材に纏めて挿通させることが可能な挿通用治具及び挿通方法を提供できる。
【００１２】
以上、本発明について簡潔に説明した。更に、以下に説明される発明を実施するための形態（以下、実施形態という。）を添付の図面を参照して通読することにより、本発明の詳細は更に明確化されるであろう。
【図面の簡単な説明】
【００１３】
【図１】図１は、挿通用治具の使用態様を示す断面図である。
【図２】図２は、挿通用治具、電線、及び編組を示す分解斜視図である。
【図３】図３は、挿通方法の第１手順を説明するための側面図である。
【図４】図４は、挿通方法の第１手順の他の例を説明するための側面図である。
【図５】図５は、挿通方法の第２手順を説明するための側面図である。
【図６】図６は、挿通方法の第３手順を説明するための断面図である。
【図７】図７（ａ）及び図７（ｂ）は、従来の電線挿通具の使用態様を示す図であり、図７（ａ）は上面図、図７（ｂ）は側面図である。
【発明を実施するための形態】
【００１４】
以下、本発明に係る実施形態の例を、図１〜図６を参照して説明する。
【００１５】
図１は、挿通用治具の使用態様を示す断面図である。図２は、挿通用治具、電線、及び編組を示す分解斜視図である。
【００１６】
図１及び図２に示すように、本実施形態に係る挿通用治具１１は、複数の電線１２及び編組１５を纏めて筒状のコルゲートチューブ（外装部材）１４に挿通する際に用いられる。挿通用治具１１によって、複数の電線１２は外周側に編組１５が被せられた状態でコルゲートチューブ１４に挿通される。
【００１７】
電線１２は、導体１２ａの周囲を外被１２ｂで覆ったもので、本実施形態では、３本の電線１２が並列に配列されている。なお、３本の電線１２は互いに結合されておらず独立している。また、本実施形態では、３本の電線１２をコルゲートチューブ１４に挿通する例について説明するが、電線１２の本数は限定されず、少なくとも１本あればよい。以下では、３本の電線１２を纏めて電線束１３として説明する場合がある。編組１５は、銅又は銅合金等からなる素線を編み込んで筒状に形成したもので、３本の電線１２の外周を覆うように配置される。編組１５は、径方向及び軸方向に伸縮可能に形成されており、その一端（後端）が環状のシェル１５ａに固定されている。
【００１８】
挿通用治具１１は、電線保持部（第１部材）２１と、ガイド部（第２部材）３１とを備えている。電線保持部２１は、例えば、ステンレスやアルミニウム等の金属材料あるいはプラスチック等の樹脂材料から形成されており、断面矩形状に形成されている。電線保持部２１は、電線収容部２２と、挿入部２３とを有している。電線収容部２２の後端面には、電線収容凹部２４が凹設されている。この電線収容凹部２４には、電線束１３の各電線１２の先端部が挿入され、これにより挿通用治具１１が電線束１３の先端部に装着される。挿入部２３は、電線収容部２２よりも横断面における外形が小さくなるように形成されている。また、挿入部２３の先端には、前方へ向かって次第に外形が小さくなるように形成された嵌合ガイドテーパ部２５が形成されている。また、電線保持部２１は、電線収容部２２と挿入部２３との間に、電線収容部２２から挿入部２３へ向かって外形が次第に小さくなように形成された係合テーパ部２６を有している。
【００１９】
ガイド部３１は、例えば、ステンレスやアルミニウム等の金属材料あるいはプラスチック等の樹脂材料から形成されており、断面矩形状に形成されている。このガイド部３１の後端面には、挿入凹部３２が凹設されている。挿入凹部３２は、電線保持部２１の挿入部２３が挿入可能な外形状に画成されている。より具体的には、挿入凹部３２は、編組１５が被せられた電線保持部２１の挿入部２３（先端部）が挿入可能な外形状に画成されている。ガイド部３１の先端には、前方へ向かって次第に外形が小さくなるように形成された挿通ガイドテーパ部３３が形成されている。
【００２０】
次に、上記の挿通用治具１１を用いて複数本の電線１２に編組１５を被せてコルゲートチューブ１４へ挿通させる挿通方法について説明する。
【００２１】
図３は、挿通方法の第１手順を説明するための側面図、図４は、挿通方法の第１手順の他の例を説明するための側面図、図５は、挿通方法の第２手順を説明するための側面図、図６は、挿通方法の第３手順を説明するための断面図である。
【００２２】
まず、第１手順では、図３に示すように、電線束１３を編組１５に挿通し、電線束１３に編組１５を装着しておく。この状態で、電線束１３の各電線１２の先端部を、挿通用治具１１の電線保持部２１の電線収容凹部２４に挿し込む。このようにすると、電線束１３の電線１２の先端部が電線保持部２１の電線収容部２２に収容されて保持される。即ち、電線保持部２１が電線束１３の先端部に装着される。
【００２３】
なお、本実施形態では、電線収容部２２は、図３中の上下方向における長さが、３本の電線１２の当該方向における長さよりも大きくなるように形成されている。このため、電線収容部２２に電線１２を挿し込みやすい。これに対して、電線保持部２１と電線束１３との装着をより強固にするためには、電線収容部２２の図３中の上下方向における長さが、３本の電線１２の当該方向における長さと同程度となるように設定して、電線束１３が電線収容部２２に嵌合する構成とすればよい。
【００２４】
また、第１手順では、図４に示すように、電線束１３の電線１２が電線保持部２１の電線収容部２２に収容された後に、電線保持部２１が装着された電線束１３を編組１５へ挿通させても構わない。この場合には、電線束１３及び電線保持部２１はシェル１５ａ側から編組１５に挿通される。
【００２５】
次いで、第２手順では、図５に示すように、電線束１３の先端部及び電線保持部２１を覆うように編組１５を前方へ移動させる（あるいは、前側へ伸長させる。）。図５では、移動後の編組１５を二点鎖線で示している。
【００２６】
続いて、第３手順では、図６に示すように、電線保持部２１を覆うように配置された編組１５の先端部がガイド部３１の挿入凹部３２内に入り込むように、電線保持部２１とガイド部３１とを接近させる。その後、第３手順では、検尺機能を有する電線自動送り機（図示せず。）などによって、電線束１３を前方へ移動させる。これにより、電線保持部２１の挿入部２３が、嵌合ガイドテーパ部２５によって案内されながらガイド部３１の挿入凹部３２内へ挿入される。これにより、編組１５が、その中間部において電線保持部２１の係合テーパ部２６とガイド部３１の挿入凹部３２の開口縁部とで挟持され、電線保持部２１とガイド部３１との間に保持される（図１参照。）。
【００２７】
なお、本実施形態では、ガイド部３１の挿入凹部３２は、図１中の上下方向における長さが、電線保持部２１の挿入部２３の当該方向における長さよりも大きくなるように形成されている。このため、挿入凹部３２に挿入部２３を挿入しやすい。これに対して、電線保持部２１とガイド部３１との装着をより強固にするためには、挿入凹部３２の図１中の上下方向における長さが、挿入部２３の当該方向における長さと同程度となるように設定して、挿入部２３が挿入凹部３２に嵌合する構成とすればよい。
【００２８】
次いで、電線束１３の先端に装着された挿通用治具１１をコルゲートチューブ１４の端部へ接近させるように電線束１３を前方へ移動させる。すると、電線束１３の先端に装着された挿通用治具１１が、ガイド部３１の挿通ガイドテーパ部３３によってコルゲートチューブ１４内へ案内されて挿入される（図１参照。）。
【００２９】
その後、電線束１３を更に前方へ移動させる。すると、編組１５が装着された電線束１３が挿通用治具１１によってコルゲートチューブ１４内へ導かれる。これにより、編組１５がコルゲートチューブ１４内へ電線束１３とともに纏めて挿通される。
【００３０】
以上説明したように、本実施形態によれば、電線束１３の先端部に装着した電線保持部２１に編組１５を被せた上でガイド部３１を装着し、編組１５を電線保持部２１とガイド部３１との間に保持させた状態で、これら電線保持部２１及びガイド部３１をコルゲートチューブ１４内に挿し込むことにより、電線束１３及び編組１５をコルゲートチューブ１４に纏めて挿通できる。
【００３１】
特に、ガイド部３１の挿入凹部３２に電線保持部２１の先端部を嵌合させることのみにより、挿入凹部３２の内面又は開口縁部と電線保持部２１の先端部の外面との間に編組１５が挟持されるので、電線保持部２１とガイド部３１との間に編組１５を容易に保持させることができる。このため、電線束１３及び編組１５のコルゲートチューブ１４への挿通作業の効率を向上できる。
【００３２】
なお、本発明の技術的範囲は、上述した実施形態に限定されるものではない。上述した実施形態は、本発明の技術的範囲内で種々の変形や改良等を伴うことができる。
【００３３】
例えば、上記実施形態では１本のコルゲートチューブ１４に電線束１３及び編組１５を挿通する例を説明したが、図７に示す従来例のように、複数本のコルゲートチューブ１４に電線束１３及び編組１５を挿通させる構成としてもよいのは勿論である。この場合、コルゲートチューブ１４を同軸上に配置して電線束１３を続けて挿通させることが好ましい。
【００３４】
また、上記実施形態では、コルゲートチューブ１４に電線束１３及び編組１５を挿通させる例を説明したが、挿通対象は筒状の外装部材であればよく、例えばストレートチューブやプロテクタ等であっても構わない。なお、挿通対象がコルゲートチューブ１４の場合、編組１５がコルゲートチューブ１４の内周面の凹凸に引っ掛かるために編組１５を挿通させ難いので、上記挿通用治具１１を用いる利点が特に大きい。
【００３５】
また、電線１２は、並列でなく断面円形状となるように配列しても構わない。この場合、挿通用治具１１を構成する電線保持部２１及びガイド部３１の断面形状も円形状とすればよい。即ち、電線保持部２１及びガイド部３１の外形状は、電線１２の配列態様（換言すれば、電線束１３の外形状。）に対応した形状とすればよい。
【００３６】
また、上記実施形態では、編組１５が電線保持部２１の係合テーパ部２６とガイド部３１の挿入凹部３２の開口縁部とで挟持される構成としたが、これに代えて、またはこれに加えて、編組１５の先端部が電線保持部２１の挿入部２３の外面とガイド部３１の挿入凹部３２の内面とで挟持されて保持される構成としても構わない。この場合には、前述したように、挿入凹部３２の図１中の上下方向における長さが、挿入部２３の当該方向における長さと同程度となるように設定して、挿入部２３が挿入凹部３２に嵌合する構成とすればよい。
【００３７】
また、上記実施形態では、電線保持部２１とガイド部３１との間に編組１５を挟持することにより保持する構成としたが、編組１５の保持の仕方としては、電線保持部２１とガイド部３１との間における挟持に限らない。編組１５の他の保持の仕方としては、例えば、挿通用治具１１に突起等の係止手段を設け、この係止手段に編組１５を係止させるものであっても構わない。
【００３８】
また、上記実施形態では、電線保持部２１とガイド部３１との間に編組１５が挟持されて保持される構成であり、電線保持部２１とガイド部３１とは互いに固定されないとして説明したが、上述したように、電線保持部２１の挿入部２３をガイド部３１の挿入凹部３２に嵌合させることで、電線保持部２１とガイド部３１とを互いに固定してもよい。あるいは、電線保持部２１とガイド部３１とを磁気吸引力によって互いに吸着させることで連結し、電線保持部２１とガイド部３１との間に編組１５を保持してもよい。
【００３９】
以下では、実施形態に係る挿通用治具及び挿通方法について簡潔に纏める。
（１）実施形態に係る挿通用治具１１は、少なくとも１本の電線１２（電線束１３）と該電線１２の外周を覆う編組１５とを筒状のコルゲートチューブ１４（外装部材）に挿通する際に用いられる。挿通用治具１１は、前記電線１２の先端部に装着される電線保持部２１（第１部材）と、前記編組１５が前記電線保持部２１及び前記電線１２を覆っている状態で前記電線保持部２１の先端部に装着され、前記電線保持部２１との間で前記編組１５を保持（挟持）するガイド部３１（第２部材）と、を備える。そして、前記編組１５を保持した状態で前記電線保持部２１と前記ガイド部３１とが前記コルゲートチューブ１４に挿し込まれることにより、前記電線１２及び前記編組１５が前記コルゲートチューブ１４に挿通される。
（２）実施形態に係る挿通用治具１１では、前記ガイド部３１は、前記電線保持部２１の先端部が嵌合する挿入凹部３２を有する。そして、前記編組１５は、前記挿入凹部３２の内面又は開口縁部と前記電線保持部２１の外面（係合テーパ部２６）との間で挟持される。
（３）実施形態に係る挿通方法は、少なくとも１本の電線１２（電線束１３）と該電線１２の外周を覆う編組１５とを筒状のコルゲートチューブ１４（外装部材）に挿通させる挿通方法である。当該挿通方法では、前記電線１２の先端部に電線保持部２１を装着する。また、前記電線１２の先端部及び前記電線保持部２１に前記編組１５を被せる。また、前記電線保持部２１の先端部にガイド部３１を装着することにより、前記電線保持部２１と前記ガイド部３１との間に前記編組１５を保持（挟持）させる。そして、前記編組１５を保持した状態で前記電線保持部２１と前記ガイド部３１を前記コルゲートチューブ１４に挿し込むことにより、前記電線１２及び前記編組１５を前記コルゲートチューブ１４に挿通する。
【符号の説明】
【００４０】
１１：挿通用治具
１２：電線
１４：コルゲートチューブ（外装部材）
１５：編組
２１：電線保持部（第１部材）
２６：係合テーパ部
３１：ガイド部（第２部材）
３２：挿入凹部
【図１】
2015046971.tif 000003
【図２】
2015046971.tif 000004
【図３】
2015046971.tif 000005
【図４】
2015046971.tif 000006
【図５】
2015046971.tif 000007
【図６】
2015046971.tif 000008
【図７】
2015046971.tif 000009